(57)【要約】【課題】  消費電力の増大を抑えて、表示品位の劣化を防止してプリチャージ技術によるデータ線の駆動を実現する表示ドライバ、表示装置及び駆動方法を提供する。【解決手段】  表示ドライバ３０は、表示データに対応した駆動電圧に基づきデータ線ＤＬｎに接続される出力線ＯＬ−ｎを駆動するデータ線駆動回路ＤＲＶ−ｎと、第１の電源線と出力線との間に接続された第１のスイッチ素子ＳＷ１−ｎと、第２の電源線と出力線との間に接続された第２のスイッチ素子ＳＷ２−ｎと、第１及び第２のスイッチ素子のスイッチ制御を行うスイッチ制御回路ＳＷＣとを含む。第１の期間は、第１のスイッチ素子をオン、第２のスイッチ素子をオフに設定し、第１の期間後の第２の期間は、第１のスイッチ素子をオフ、第２のスイッチ素子をオンに設定する。第２の期間後では第１及び第２のスイッチ素子をオフに設定し、データ線駆動回路により出力線を駆動する。【選択図】        図４
2005037832.tif 000002
【特許請求の範囲】
【請求項１】
表示パネルのデータ線を駆動する表示ドライバであって、
表示データに対応した駆動電圧に基づいて、前記データ線に接続される出力線を駆動するデータ線駆動回路と、
第１の電源電圧が供給される第１の電源線と前記出力線との間に接続された第１のスイッチ素子と、
第２の電源電圧が供給される第２の電源線と前記出力線との間に接続された第２のスイッチ素子と、
前記第１及び第２のスイッチ素子のスイッチ制御を行うスイッチ制御回路と、
を含み、
前記スイッチ制御回路が、
第１の期間では、前記第１のスイッチ素子をオン状態に設定すると共に前記第２のスイッチ素子をオフ状態に設定して前記出力線と前記第１の電源線とを電気的に接続し、
前記第１の期間後の第２の期間では、前記第１のスイッチ素子をオフ状態に設定すると共に前記第２のスイッチ素子をオン状態に設定して前記出力線と前記第２の電源線とを電気的に接続し、
前記第２の期間後では、前記第１及び第２のスイッチ素子をオフ状態に設定し、
前記データ線駆動回路が、
前記第２の期間後に、前記出力線を駆動することを特徴とする表示ドライバ。
【請求項２】
請求項１において、
前記第１の期間の開始時点のデータ線の電圧と前記第１の電源電圧との差の絶対値は、
前記第１の期間の開始時点のデータ線の電圧と前記第２の電源電圧との差の絶対値より小さいことを特徴とする表示ドライバ。
【請求項３】
請求項２において、
前記スイッチ制御回路は、
前記第１の期間が、前記第２の期間より長くなるように前記第１及び第２のスイッチ素子をスイッチ制御することを特徴とする表示ドライバ。
【請求項４】
請求項１において、
前記第１の電源電圧は、前記第２の電源電圧より高く、
所与の基準電位に対して前記駆動電圧の極性が負の駆動期間の前に、第１のプリチャージ期間が設けられ、
前記極性が正の駆動期間の前に、第２のプリチャージ期間が設けられ、
前記スイッチ制御回路が、
前記第１プリチャージ期間内の第１の分割期間では、前記第１のスイッチ素子をオン状態に設定すると共に前記第２のスイッチ素子をオフ状態に設定し、
前記第１の分割期間後の第２の分割期間では、前記第１のスイッチ素子をオフ状態に設定すると共に前記第２のスイッチ素子をオン状態に設定し、
前記第２のプリチャージ期間内の第３の分割期間では、前記第１のスイッチ素子をオフ状態に設定すると共に前記第２のスイッチ素子をオン状態に設定し、
前記第３の分割期間後の第４の分割期間では、前記第１のスイッチ素子をオン状態に設定すると共に前記第２のスイッチ素子をオフ状態に設定することを特徴とする表示ドライバ。
【請求項５】
請求項４において、
前記スイッチ制御回路は、
前記第１の分割期間が、前記第２の分割期間より長くなるように、かつ前記第３の分割期間が、前記第４の分割期間よりも長くなるように前記第１及び第２のスイッチ素子をスイッチ制御することを特徴とする表示ドライバ。
【請求項６】
請求項４又は５において、
前記スイッチ制御回路は、
第１〜第４の分割期間設定レジスタを含み、
前記第１〜第４の分割期間設定レジスタの設定値に基づいて、前記第１及び第２のスイッチ素子のスイッチ制御を行うことを特徴とする表示ドライバ。
【請求項７】
請求項１乃至６のいずれかにおいて、
前記第１の電源電圧が、
前記データ線駆動回路の高電位側の電源電圧であり、
前記第２の電源電圧が、
前記データ線駆動回路の低電位側の電源電圧であることを特徴とする表示ドライバ。
【請求項８】
請求項１乃至６のいずれかにおいて、
前記第１の電源電圧が、
前記駆動電圧の最大値であり、
前記第２の電源電圧が、
前記駆動電圧の最小値であることを特徴とする表示ドライバ。
【請求項９】
複数の走査線と、
複数のデータ線と、
前記複数の走査線の各走査線と、前記複数のデータ線の各データ線とに接続された複数のスイッチ素子とを含む表示パネルと、
前記複数のデータ線を駆動する請求項１乃至９のいずれか記載の表示ドライバと、
を含むことを特徴とする表示装置。
【請求項１０】
複数の走査線と、
複数のデータ線と、
前記複数の走査線の各走査線と、前記複数のデータ線の各データ線とに接続された複数のスイッチ素子と、
前記複数のデータ線を駆動する請求項１乃至９のいずれか記載の表示ドライバと、
を含むことを特徴とする表示装置。
【請求項１１】
表示パネルのデータ線を駆動するための駆動方法であって、
第１の電源電圧が供給される第１の電源線と前記データ線との間に接続される第１のスイッチ素子と、第２の電源電圧が供給される第２の電源線と前記データ線との間に接続される第２のスイッチ素子とを用意し、
前記第１のスイッチ素子をオン状態に設定すると共に前記第２のスイッチ素子をオフ状態に設定して前記データ線と前記第１の電源線とを電気的に接続し、
前記データ線と前記第１の電源線とを電気的に接続した後に、前記第１のスイッチ素子をオフ状態に設定すると共に前記第２のスイッチ素子をオン状態に設定して前記データ線と前記第２の電源線とを電気的に接続し、
前記データ線と前記第２の電源線とを電気的に接続した後に、前記第１及び第２のスイッチ素子をオフ状態に設定して、表示データに対応した駆動電圧に基づいて前記データ線を駆動することを特徴とする駆動方法。
【請求項１２】
表示パネルのデータ線を駆動するための駆動方法であって、
第１の電源電圧が供給される第１の電源線と前記データ線との間に接続される第１のスイッチ素子と、前記第１の電源電圧より低電位の第２の電源電圧が供給される第２の電源線と前記データ線との間に接続される第２のスイッチ素子とを用意し、
所与の基準電位に対して表示データに対応した駆動電圧の極性が負の駆動期間の前に設けられた第１のプリチャージ期間において、該第１のプリチャージ期間内の第１の分割期間に、前記第１のスイッチ素子をオン状態に設定すると共に前記第２のスイッチ素子をオフ状態に設定し、前記記第１の分割期間後の第２の分割期間に、前記第１のスイッチ素子をオフ状態に設定すると共に、前記第２のスイッチ素子をオン状態に設定し、
前記第１のプリチャージ期間の後に、前記第１及び第２のスイッチ素子をオフ状態に設定して、前記駆動電圧に基づいて前記データ線を駆動することを特徴とする駆動方法。
【請求項１３】
請求項１２において、
前記第１の分割期間は、前記第２の分割期間よりも長いことを特徴とする駆動方法。
【請求項１４】
表示パネルのデータ線を駆動するための駆動方法であって、
第１の電源電圧が供給される第１の電源線と前記データ線との間に接続される第１のスイッチ素子と、前記第１の電源電圧より低電位の第２の電源電圧が供給される第２の電源線と前記データ線との間に接続される第２のスイッチ素子とを用意し、
所与の基準電位に対して表示データに対応した駆動電圧の極性が正の駆動期間の前に設けられた第２のプリチャージ期間において、該第２のプリチャージ期間内の第３の分割期間に、前記第１のスイッチ素子をオフ状態に設定すると共に前記第２のスイッチ素子をオン状態に設定し、前記第３の分割期間後の第４の分割期間に、前記第１のスイッチ素子をオン状態に設定すると共に前記第２のスイッチ素子をオフ状態に設定し、
前記第２のプリチャージ期間後に、前記第１及び第２のスイッチ素子をオフ状態に設定して、前記駆動電圧に基づいて前記データ線を駆動することを特徴とする駆動方法。
【請求項１５】
請求項１４において、
前記第３の分割期間は、前記第４の分割期間よりも長いことを特徴とする駆動方法。
【請求項１６】
請求項１１乃至１５のいずれかにおいて、
前記第１の電源電圧が、
前記駆動電圧に基づいて前記データ線を駆動するデータ線駆動回路の高電位側の電源電圧であり、
前記第２の電源電圧が、
前記データ線駆動回路の低電位側の電源電圧であることを特徴とする駆動方法。
【請求項１７】
請求項１１乃至１５のいずれかにおいて、
前記第１の電源電圧が、
前記駆動電圧の最大値であり、
前記第２の電源電圧が、
前記駆動電圧の最小値であることを特徴とする駆動方法。
【発明の詳細な説明】
【技術分野】
【０００１】
本発明は、表示ドライバ、表示装置及び駆動方法に関する。
【背景技術】
【０００２】
アクティブマトリクス型の液晶表示装置（広義には表示装置）において、液晶の駆動を高速化するプリチャージ技術が知られている。このプリチャージ技術では、表示データに基づくデータ線の駆動に先立って、当該データ線を所定の電位にプリチャージしておき、表示データに基づく駆動電圧の供給に伴うデータ線の充放電量を少なくする。
【０００３】
このプリチャージ技術については、例えば特許文献１に開示されている。特許文献１には、予め異なる直流電位を用意し、各直流電位とデータ線との間にスイッチを設ける。そして、液晶の反転駆動の極性に対応させたスイッチの制御により、用意した直流電位とデータ線との間の接続を制御するプリチャージ技術が開示されている。このプリチャージ技術によれば、プリチャージの周期が短くなった場合であっても、駆動に伴うデータ線の充放電量が少なく済み、消費電力の増大を抑え、正確な電圧をデータ線に供給できる。
【特許文献１】特開平１０−１１０３２号公報
【発明の開示】
【発明が解決しようとする課題】
【０００４】
直流電位とデータ線との間に接続されるスイッチをＭＯＳ（Metal-Oxide Semiconductor）トランジスタで構成することが考えられる。しかしながら、ＭＯＳトランジスタのソース・ドレイン間の電圧が低くなるにつれて、データ線の充放電の時間が長くなってしまう。従って、特許文献１に記載されたプリチャージ技術では、液晶の反転駆動の極性に対応させて、予め用意した直流電位とデータ線との間を接続するため、データ線に蓄積された電荷を完全に放電することができない場合がある。この場合、データ線を所望の電位にすることができないことがあり、表示品位の劣化を招く。
【０００５】
また特許文献１では、データ線の電位とプリチャージ電位との差を大きくすることでデータ線の充放電を高速化する点が開示されている。しかしながら、液晶の駆動に多くの電位が必要とされる上に、新たにプリチャージ電位を用意するのは回路規模を増大させる。しかも、データ線を、単にプリチャージ電位に接続すると、消費電力の増加が著しい。
【０００６】
本発明は、以上のような技術的課題に鑑みてなされたものであり、その目的とするところは、消費電力の増大を抑えて、表示品位の劣化を防止してプリチャージ技術によるデータ線の駆動を実現する表示ドライバ、表示装置及び駆動方法を提供することにある。
【課題を解決するための手段】
【０００７】
上記課題を解決するために本発明は、表示パネルのデータ線を駆動する表示ドライバであって、表示データに対応した駆動電圧に基づいて、前記データ線に接続される出力線を駆動するデータ線駆動回路と、第１の電源電圧が供給される第１の電源線と前記出力線との間に接続された第１のスイッチ素子と、第２の電源電圧が供給される第２の電源線と前記出力線との間に接続された第２のスイッチ素子と、前記第１及び第２のスイッチ素子のスイッチ制御を行うスイッチ制御回路とを含み、前記スイッチ制御回路が、第１の期間では、前記第１のスイッチ素子をオン状態に設定すると共に前記第２のスイッチ素子をオフ状態に設定して前記出力線と前記第１の電源線とを電気的に接続し、前記第１の期間後の第２の期間では、前記第１のスイッチ素子をオフ状態に設定すると共に前記第２のスイッチ素子をオン状態に設定して前記出力線と前記第２の電源線とを電気的に接続し、前記第２の期間後では、前記第１及び第２のスイッチ素子をオフ状態に設定し、前記データ線駆動回路が、前記第２の期間後に、前記出力線を駆動する表示ドライバに関係する。
【０００８】
本発明においては、データ線駆動回路によるデータ線の駆動に先立って、第１及び第２の期間の各期間でデータ線がプリチャージされる。このため、いわゆるプリチャージ技術によって、データ線の充放電の時間を短縮し、表示品位の劣化を防止できる。
【０００９】
そして、２段階でデータ線のプリチャージを行う構成を採用したため、データ線の充放電時に、例えばデータ線の電荷が第２の電源線に流れ込む量を最小限に抑えることができる。特に、第２の電源線の第２の電源電圧がシステム接地電源電圧である場合には、正の電荷がそのままシステム接地側に流れ込むことになるので、消費電力を増大させてしまう。単に、予め用意した電位にデータ線を接続するプリチャージでは、データ線の充放電時に電荷が第２の電源線に流れ込んでしまい、消費電力を増大させてしまうが、本発明によれば、一旦第１の電源電圧にプリチャージすることで、電荷が流れ込む量を最小限に抑えることができるので、低消費電力化を図ることができる。
【００１０】
また本発明に係る表示ドライバでは、前記第１の期間の開始時点のデータ線の電圧と前記第１の電源電圧との差の絶対値は、前記第１の期間の開始時点のデータ線の電圧と前記第２の電源電圧との差の絶対値より小さくてもよい。
【００１１】
本発明においては、データ線を低電位に駆動する場合、一旦より高い電位に向けてプリチャージされた後、より低い電位に向けてプリチャージされる。従って、正の電荷が、より低い電位に流れ込む期間を短くできるので、より高い電位に向けたプリチャージによる電荷の再利用によって消費電力を削減できる。そして、表示データに基づく駆動に先立ち、より低い電位に向けてプリチャージを行うため、プリチャージの周期が短くなった場合でも、正確な電圧をデータ線に供給でき、表示サイズの増大に対応し、かつ表示品位の劣化を防止できる。
【００１２】
更に、データ線を高電位に駆動する場合、一旦より低い電位に向けてプリチャージされた後、より高い電位に向けてプリチャージする。従って、負の電荷が、より高い電位に流れ込む期間を短くできるので、より低い電位に向けたプリチャージによる電荷の再利用によって消費電力を削減できる。そして、表示データに基づく駆動に先立ち、より高い電位に向けてプリチャージを行うため、プリチャージの周期が短くなった場合でも、正確な電圧をデータ線に供給できる。
【００１３】
また本発明に係る表示ドライバでは、前記スイッチ制御回路は、前記第１の期間が、前記第２の期間より長くなるように前記第１及び第２のスイッチ素子をスイッチ制御することができる。
【００１４】
本発明によれば、データ線の充放電により消費される電荷の量を少なくできるので、消費電力を更に削減できることができるようになる。
【００１５】
また本発明に係る表示ドライバでは、前記第１の電源電圧は、前記第２の電源電圧より高く、所与の基準電位に対して前記駆動電圧の極性が負の駆動期間の前に、第１のプリチャージ期間が設けられ、前記極性が正の駆動期間の前に、第２のプリチャージ期間が設けられ、前記スイッチ制御回路が、前記第１プリチャージ期間内の第１の分割期間では、前記第１のスイッチ素子をオン状態に設定すると共に前記第２のスイッチ素子をオフ状態に設定し、前記第１の分割期間後の第２の分割期間では、前記第１のスイッチ素子をオフ状態に設定すると共に前記第２のスイッチ素子をオン状態に設定し、前記第２のプリチャージ期間内の第３の分割期間では、前記第１のスイッチ素子をオフ状態に設定すると共に前記第２のスイッチ素子をオン状態に設定し、前記第３の分割期間後の第４の分割期間では、前記第１のスイッチ素子をオン状態に設定すると共に前記第２のスイッチ素子をオフ状態に設定することができる。
【００１６】
本発明によれば、いわゆる極性反転駆動によるデータ線の充放電に伴う低消費電力化と、表示品位の劣化の防止とを両立できる。
【００１７】
また本発明に係る表示ドライバでは、前記スイッチ制御回路は、前記第１の分割期間が、前記第２の分割期間より長くなるように、かつ前記第３の分割期間が、前記第４の分割期間よりも長くなるように前記第１及び第２のスイッチ素子をスイッチ制御することができる。
【００１８】
本発明によれば、データ線の充放電により消費される電荷の量を少なくできるので、消費電力を更に削減できることができるようになる。
【００１９】
また本発明に係る表示ドライバでは、前記スイッチ制御回路は、第１〜第４の分割期間設定レジスタを含み、前記第１〜第４の分割期間設定レジスタの設定値に基づいて、前記第１及び第２のスイッチ素子のスイッチ制御を行うことができる。
【００２０】
本発明によれば、駆動対象の表示パネル等に依存する第１〜第４の分割期間を設定でき、駆動対象に最適な表示品位の維持を低消費電力で実現できる表示ドライバを提供できる。
【００２１】
また本発明に係る表示ドライバでは、前記第１の電源電圧が、前記データ線駆動回路の高電位側の電源電圧であり、前記第２の電源電圧が、前記データ線駆動回路の低電位側の電源電圧であってもよい。
【００２２】
また本発明に係る表示ドライバでは、前記第１の電源電圧が、前記駆動電圧の最大値であり、前記第２の電源電圧が、前記駆動電圧の最小値であってもよい。
【００２３】
本発明によれば、新たなプリチャージ電位を設ける必要がないため、表示鳥暴の回路規模の増大を回避できる。
【００２４】
また本発明は、複数の走査線と、複数のデータ線と、前記複数の走査線の各走査線と、前記複数のデータ線の各データ線とに接続された複数のスイッチ素子とを含む表示パネルと、前記複数のデータ線を駆動する上記のいずれか記載の表示ドライバとを含む表示装置に関係する。
【００２５】
また本発明は、複数の走査線と、複数のデータ線と、前記複数の走査線の各走査線と、前記複数のデータ線の各データ線とに接続された複数のスイッチ素子と、前記複数のデータ線を駆動する上記のいずれか記載の表示ドライバとを含む表示装置に関係する。
【００２６】
本発明によれば、最適な表示品位の維持を低消費電力で実現できる表示装置を提供できる。
【００２７】
また本発明は、表示パネルのデータ線を駆動するための駆動方法であって、第１の電源電圧が供給される第１の電源線と前記データ線との間に接続される第１のスイッチ素子と、第２の電源電圧が供給される第２の電源線と前記データ線との間に接続される第２のスイッチ素子とを用意し、前記第１のスイッチ素子をオン状態に設定すると共に前記第２のスイッチ素子をオフ状態に設定して前記データ線と前記第１の電源線とを電気的に接続し、前記データ線と前記第１の電源線とを電気的に接続した後に、前記第１のスイッチ素子をオフ状態に設定すると共に前記第２のスイッチ素子をオン状態に設定して前記データ線と前記第２の電源線とを電気的に接続し、前記データ線と前記第２の電源線とを電気的に接続した後に、前記第１及び第２のスイッチ素子をオフ状態に設定して、表示データに対応した駆動電圧に基づいて前記データ線を駆動する駆動方法に関係する。
【００２８】
ここでデータ線は、例えば低温ポリシリコンプロセスにより形成された表示パネルにおいて、表示ドライバに接続されるデータ信号供給線をデマルチプレクサを介して接続される各色成分用データ線を含むことができる。従って、第１及び第２のスイッチ素子のスイッチ制御を行う前に、デマルチプレクサによりデータ信号供給線とすべての色成分用データ線とを電気的に接続することで、データ線と第１又は第２の電源線とを接続することができる。
【００２９】
また本発明は、表示パネルのデータ線を駆動するための駆動方法であって、第１の電源電圧が供給される第１の電源線と前記データ線との間に接続される第１のスイッチ素子と、前記第１の電源電圧より低電位の第２の電源電圧が供給される第２の電源線と前記データ線との間に接続される第２のスイッチ素子とを用意し、所与の基準電位に対して表示データに対応した駆動電圧の極性が負の駆動期間の前に設けられた第１のプリチャージ期間において、該第１のプリチャージ期間内の第１の分割期間に、前記第１のスイッチ素子をオン状態に設定すると共に前記第２のスイッチ素子をオフ状態に設定し、前記記第１の分割期間後の第２の分割期間に、前記第１のスイッチ素子をオフ状態に設定すると共に、前記第２のスイッチ素子をオン状態に設定し、前記第１のプリチャージ期間の後に、前記第１及び第２のスイッチ素子をオフ状態に設定して、前記駆動電圧に基づいて前記データ線を駆動する駆動方法に関係する。
【００３０】
また本発明に係る駆動方法では、前記第１の分割期間は、前記第２の分割期間よりも長くてもよい。
【００３１】
また本発明は、表示パネルのデータ線を駆動するための駆動方法であって、第１の電源電圧が供給される第１の電源線と前記データ線との間に接続される第１のスイッチ素子と、前記第１の電源電圧より低電位の第２の電源電圧が供給される第２の電源線と前記データ線との間に接続される第２のスイッチ素子とを用意し、所与の基準電位に対して表示データに対応した駆動電圧の極性が正の駆動期間の前に設けられた第２のプリチャージ期間において、該第２のプリチャージ期間内の第３の分割期間に、前記第１のスイッチ素子をオフ状態に設定すると共に前記第２のスイッチ素子をオン状態に設定し、前記第３の分割期間後の第４の分割期間に、前記第１のスイッチ素子をオン状態に設定すると共に前記第２のスイッチ素子をオフ状態に設定し、前記第２のプリチャージ期間後に、前記第１及び第２のスイッチ素子をオフ状態に設定して、前記駆動電圧に基づいて前記データ線を駆動する駆動方法に関係する。
【００３２】
また本発明に係る駆動方法では、前記第３の分割期間は、前記第４の分割期間よりも長くてもよい。
【００３３】
また本発明に係る駆動方法では、前記第１の電源電圧が、前記駆動電圧に基づいて前記データ線を駆動するデータ線駆動回路の高電位側の電源電圧であり、前記第２の電源電圧が、前記データ線駆動回路の低電位側の電源電圧であってもよい。
【００３４】
また本発明に係る駆動方法では、前記第１の電源電圧が、前記駆動電圧の最大値であり、前記第２の電源電圧が、前記駆動電圧の最小値であってもよい。
【発明を実施するための最良の形態】
【００３５】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００３６】
１．  表示装置の概要
図１に、本実施形態における表示ドライバを含む表示装置の構成の概要を示す。
【００３７】
表示装置（狭義には、電気光学装置、液晶装置）１０は、表示パネル（狭義には、液晶パネル）２０を含むことができる。
【００３８】
表示パネル２０は、例えばガラス基板上に形成される。このガラス基板上には、Ｙ方向に複数配列されそれぞれＸ方向に伸びる走査線（ゲートライン）ＧＬ１〜ＧＬＭ（Ｍは２以上の整数）と、Ｘ方向に複数配列されそれぞれＹ方向に伸びるデータ線（ソースライン）ＤＬ１〜ＤＬＮ（Ｎは２以上の整数）とが配置されている。また、走査線ＧＬｍ（１≦ｍ≦Ｍ、ｍは整数、以下同様。）とデータ線ＤＬｎ（１≦ｎ≦Ｎ、ｎは整数、以下同様。）との交差位置に対応して、画素領域（画素）が設けられ、該画素領域に薄膜トランジスタ（Thin Film Transistor：以下、ＴＦＴと略す。）２２ｍｎが配置されている。
【００３９】
ＴＦＴ２２ｍｎのゲート電極は、走査線ＧＬｎに接続されている。ＴＦＴ２２ｍｎのソース電極は、データ線ＤＬｎに接続されている。ＴＦＴ２２ｍｎのドレイン電極は、画素電極２６ｍｎに接続されている。画素電極２６ｍｎと、これに対向する対向電極２８ｍｎとの間に液晶が封入され、液晶容量（広義には液晶素子）２４ｍｎが形成される。画素電極２６ｍｎと対向電極２８ｍｎとの間の印加電圧に応じて画素の透過率が変化するようになっている。対向電極２８ｍｎには、対向電極電圧Ｖｃｏｍが供給される。
【００４０】
表示装置１０は、表示ドライバ（狭義にはデータドライバ）３０を含むことができる。表示ドライバ３０は、表示データに基づいて、表示パネル２０のデータ線ＤＬ１〜ＤＬＮを駆動する。
【００４１】
表示装置１０は、ゲートドライバ３２を含むことができる。ゲートドライバ３２は、一垂直走査期間内に、表示パネル２０の走査線ＧＬ１〜ＧＬＭを走査する。
【００４２】
表示装置１０は、電源回路３４を含むことができる。電源回路３４は、データ線の駆動に必要な電圧を生成し、これらを表示ドライバ３０に対して供給する。本実施形態では、電源回路３４は、表示ドライバ３０のデータ線の駆動に必要な電源電圧ＶＤＤＨ、ＶＳＳＨや、表示ドライバ３０のロジック部の電圧を生成する。
【００４３】
また電源回路３４は、走査線の走査に必要な電圧を生成し、これをゲートドライバ３２に対して供給する。本実施形態では、電源回路３４は、走査線を走査するための駆動電圧を生成する。
【００４４】
更に電源回路３４は、対向電極電圧Ｖｃｏｍを生成することができる。電源回路３４は、表示ドライバ３０によって生成された極性反転信号ＰＯＬのタイミングに合わせて、高電位側の電圧ＶｃｏｍＨと低電位側の電圧ＶｃｏｍＬとを繰り返す対向電極電圧Ｖｃｏｍを、表示パネル２０の対向電極に出力する。
【００４５】
表示装置１０は、表示コントローラ３８を含むことができる。表示コントローラ３８は、図示しない中央処理装置（Central Processing Unit：以下、ＣＰＵと略す。）等のホストにより設定された内容に従って、表示ドライバ３０、ゲートドライバ３２、電源回路３４を制御する。例えば、表示コントローラ３８は、表示ドライバ３０及びゲートドライバ３２に対し、動作モードの設定、内部で生成した垂直同期信号や水平同期信号の供給を行う。
【００４６】
なお図１では、表示装置１０に電源回路３４又は表示コントローラ３８を含めて構成するようにしているが、これらのうち少なくとも１つを表示装置１０の外部に設けて構成するようにしてもよい。或いは、表示装置１０に、ホストを含めるように構成することも可能である。
【００４７】
また、表示ドライバ３０は、ゲートドライバ３２及び電源回路３４のうち少なくとも１つを内蔵してもよい。
【００４８】
更にまた、表示ドライバ３０、ゲートドライバ３２、表示コントローラ３８及び電源回路３４の一部又は全部を表示パネル２０上に形成してもよい。例えば図２では、表示パネル２０上に、表示ドライバ３０及びゲートドライバ３２が形成されている。このように表示パネル２０は、複数のデータ線と、複数の走査線と、複数の走査線の各走査線及び複数のデータ線の各データ線とに接続された複数のスイッチ素子と、複数のデータ線を駆動する表示ドライバとを含むように構成することができる。表示パネル２０の画素形成領域８０に、複数の画素が形成されている。
【００４９】
２．  表示ドライバの概要
図３に、本実施形態における表示ドライバの構成要部を示す。但し、図１又は図２に示す部分と同一部分には同一符号を付し、適宜説明を省略する。
【００５０】
表示ドライバ３０は、表示データに基づいてデータ線ＤＬ１〜ＤＬＮを駆動する。各表示データは、各データ線に対応している。
【００５１】
表示ドライバ３０は、データ線駆動回路ＤＲＶ−１〜ＤＲＶ−Ｎと、第１のスイッチ素子ＳＷ１−１〜ＳＷ１−Ｎと、第２のスイッチ素子ＳＷ２−１〜ＳＷ２−Ｎと、スイッチ制御回路ＳＷＣとを含む。第１及び第２のスイッチ素子ＳＷ１−１〜ＳＷ１−Ｎ、ＳＷ２−１〜ＳＷ２−Ｎは、ＭＯＳトランジスタにより構成される。
【００５２】
データ線駆動回路ＤＲＶ−ｎ（１≦ｎ≦Ｎ、ｎは整数）の出力は、出力線ＯＬ−ｎに接続される。出力線ＯＬ−ｎは、表示パネル２０のデータ線ＤＬｎに接続される。データ線駆動回路ＤＲＶ−ｎは、表示データに対応した駆動電圧ＤＶｎを出力線ＯＬ−ｎに出力する。
【００５３】
第１のスイッチ素子ＳＷ１−ｎは、第１の電源電圧ＰＶ１が供給される第１の電源線ＰＬ１と出力線ＯＬ−ｎとの間に接続される。第１のスイッチ素子ＳＷ１−ｎは、第１のスイッチ制御信号ＳＣ１により、オンオフ制御される。第１のスイッチ素子ＳＷ１−ｎがオン状態のとき、第１の電源線ＰＬ１と出力線ＯＬ−ｎとが電気的に接続される。第１のスイッチ素子ＳＷ１−ｎがオフ状態のとき、第１の電源線ＰＬ１と出力線ＯＬ−ｎとが電気的に切断される。
【００５４】
第２のスイッチ素子ＳＷ２−ｎは、第２の電源電圧ＰＶ２が供給される第２の電源線ＰＬ２と出力線ＯＬ−ｎとの間に接続される。第２のスイッチ素子ＳＷ２−ｎは、第２のスイッチ制御信号ＳＣ２により、オンオフ制御される。第２のスイッチ素子ＳＷ２−ｎがオン状態のとき、第２の電源線ＰＬ２と出力線ＯＬ−ｎとが電気的に接続される。第２のスイッチ素子ＳＷ２−ｎがオフ状態のとき、第２の電源線ＰＬ２と出力線ＯＬ−ｎとが電気的に切断される。
【００５５】
スイッチ制御回路ＳＷＣは、第１及び第２のスイッチ素子ＳＷ１−１〜ＳＷ１−Ｎ、ＳＷ２−１〜ＳＷ２−Ｎのスイッチ制御を行う。より具体的にはスイッチ制御回路ＳＷＣは、第１及び第２のスイッチ制御信号ＳＣ１、ＳＣ２を生成する。そして、第１のスイッチ制御信号ＳＣ１を用いて第１のスイッチ素子ＳＷ１−１〜ＳＷ１−Ｎのスイッチ制御を行い、第２のスイッチ制御信号ＳＣ２を用いて第２のスイッチ素子ＳＷ２−１〜ＳＷ２−Ｎのスイッチ制御を行う。
【００５６】
図４に、本実施形態における表示ドライバ３０によって駆動されるデータ線の電位の変化例を模式的に示す。図４では、データ線ＤＬｎの電位の変化例を示すが、他のデータ線も同様である。
【００５７】
即ち、表示ドライバ３０（より具体的にはスイッチ制御回路ＳＷＣ）は、第１の期間Ｔ１では、第１のスイッチ素子ＳＷ１−ｎをオン状態に設定すると共に第２のスイッチ素子ＳＷ２−ｎをオフ状態に設定して出力線ＯＬ−ｎと第１の電源線ＰＬ１とを電気的に接続する。従って、出力線ＯＬ−ｎ（出力線ＯＬ−１〜ＯＬ−Ｎ）と第２の電源線ＰＬ２とは電気的に切断されている。これにより、第１の期間Ｔ１では、データ線ＤＬｎの電位は、第１の電源線ＰＬ１の第１の電源電圧ＰＶ１に近付いていく。
【００５８】
そして、第１の期間Ｔ１後の第２の期間Ｔ２では、第１のスイッチ素子ＳＷ１−ｎをオフ状態に設定すると共に第２のスイッチ素子ＳＷ２−ｎをオン状態に設定して出力線ＯＬ−ｎと第２の電源線ＰＬ２とを電気的に接続する。従って、出力線ＯＬ−ｎ（出力線ＯＬ−１〜ＯＬ−Ｎ）と第１の電源線ＰＬ１とは電気的に切断されている。これにより、第２の期間Ｔ２では、データ線ＤＬｎの電位は、第２の電源線ＰＬ２の第２の電源電圧ＰＶ２に近付いていく。
【００５９】
更に第２の期間Ｔ２後では、第１及び第２のスイッチ素子ＳＷ１−ｎ、ＳＷ２−ｎをオフ状態に設定して、データ線駆動回路ＤＲＶ−ｎにより出力線ＯＬ−ｎを駆動する。従って、出力線ＯＬ−ｎ（出力線ＯＬ−１〜ＯＬ−Ｎ）と第１及び第２の電源線ＰＬ１、ＰＬ２とは電気的に切断されている。これにより、第２の期間Ｔ２以降では、データ線ＤＬｎに、表示データに対応した電圧が供給されることになる。
【００６０】
なお図４では、第１の期間Ｔ１の直後に第２の期間Ｔ２が設けられているが、第１の期間Ｔ１の後に所与の期間が経過した後に第２の期間Ｔ２が設けられていてもよい。
【００６１】
このように、データ線駆動回路ＤＲＶ−１〜ＤＲＶ−Ｎに基づくデータ線ＤＬ１〜ＤＬＮの駆動に先立って、第１及び第２の期間Ｔ１、Ｔ２の各期間でデータ線ＤＬ１〜ＤＬＮをプリチャージする。そして、第２の期間Ｔ２以降で、表示データに対応した電圧をデータ線ＤＬ１〜ＤＬＮに供給する。
【００６２】
こうすることで、いわゆるプリチャージ技術によって、データ線の充放電の時間を短縮し、表示品位の劣化を防止できる。そして、本実施形態では、２段階でデータ線のプリチャージを行う構成を採用したため、第２の電源電圧がシステム接地電源電圧である場合に、正の電荷に着目すると、データ線の充放電時に例えばデータ線の電荷がシステム接地電源線に流れ込む量を最小限に抑えることができる。即ち、単に、予め用意した電位にデータ線を接続するプリチャージでは、データ線の充放電時に電荷がシステム接地電源線に流れ込んでしまい、消費電力が増大してしまう。ところが、本実施形態によれば、電荷が流れ込む量を最小限に抑えることができるので、低消費電力化を図ることができる。
【００６３】
そのため、本実施形態では、図４に示すように、第１の期間Ｔ１の開始時点のデータ線の電圧ＤＬＶと第１の電源電圧ＰＶ１との差の絶対値ＡＶ１は、第１の期間Ｔ１の開始時点のデータ線の電圧ＤＬＶと第２の電源電圧ＰＶ２との差の絶対値ＡＶ２より小さいことが望ましい。
【００６４】
即ち、データ線を低電位側に駆動する場合、一旦より高い電位に向けてプリチャージされた後、より低い電位に向けてプリチャージする。従って、正の電荷が、より低い電位に流れ込む期間を短くできるので、より高い電位に向けたプリチャージによる電荷の再利用によって消費電力を削減できる。そして、表示データに基づく駆動に先立ち、より低い電位に向けてプリチャージを行うため、プリチャージの周期が短くなった場合でも、正確な電圧をデータ線に供給でき、表示サイズの増大に対応し、かつ表示品位の劣化を防止できる。
【００６５】
更に、データ線を高電位に駆動する場合、一旦より低い電位に向けてプリチャージされた後、より高い電位に向けてプリチャージする。従って、負の電荷が、より高い電位に流れ込む期間を短くできるので、より低い電位に向けたプリチャージによる電荷の再利用によって消費電力を削減できる。そして、表示データに基づく駆動に先立ち、より高い電位に向けてプリチャージを行うため、プリチャージの周期が短くなった場合でも、正確な電圧をデータ線に供給できる。
【００６６】
また、スイッチ制御回路ＳＷＣは、第１の期間Ｔ１が第２の期間Ｔ２より長くなるようにスイッチ制御を行うことが望ましい。上述のように、データ線の充放電により消費される電荷の量を少なくできるので、消費電力を更に削減できることができるようになる。
【００６７】
表示ドライバ３０は、液晶の劣化を防止するため、液晶に印加される電圧の極性を反転する極性反転駆動を行う。極性反転駆動は、極性反転信号ＰＯＬにより規定されるタイミングで、液晶に印加される電圧を反転させる。極性反転信号ＰＯＬは、フレーム反転駆動又はライン反転駆動の周期に応じて周期的に変化する。
【００６８】
図５に、本実施形態における表示ドライバ３０により極性反転駆動を実現した場合のデータ線の電位の変化例を模式的に示す。図５では、データ線ＤＬｎの電位の変化例を示すが、他のデータ線も同様である。
【００６９】
対向電極電圧Ｖｃｏｍは、極性反転信号ＰＯＬに同期して変化する。極性反転信号ＰＯＬが高電位側の電圧ＰＯＬＨのとき（図示せず）、対向電極電圧Ｖｃｏｍは高電位側の電圧ＶｃｏｍＨとなる。極性反転信号ＰＯＬが低電位側の電圧ＰＯＬＬのとき（図示せず）、対向電極電圧Ｖｃｏｍは低電位側の電圧ＶｃｏｍＬとなる。
【００７０】
図５では、極性反転信号ＰＯＬが高電位側の電圧ＰＯＬＨのとき、図３に示すデータ線駆動回路ＤＲＶ−１〜ＤＲＶ−Ｎによって駆動される駆動電圧が、対向電極電圧Ｖｃｏｍの電位（所与の基準電位）に対して極性が負となる。また、図５では、極性反転信号ＰＯＬが低電位側の電圧ＰＯＬＬのとき、図３に示すデータ線駆動回路ＤＲＶ−１〜ＤＲＶ−Ｎによって駆動される駆動電圧が、対向電極電圧Ｖｃｏｍの電位（所与の基準電位）に対して極性が正となる。
【００７１】
駆動期間において、図５に示すゲート電圧Ｖｇが走査線ＧＬｍに供給される。複数の走査線ＧＬ１〜ＧＬＭを走査して走査線ＧＬｍが選択されたとき、ゲート電圧Ｖｇは、低電位側のゲート電圧ＶｇＬから高電位側のゲート電圧ＶｇＨに変化する。ゲート電圧Ｖｇが高電位側のゲート電圧ＶｇＨのとき、走査線ＧＬｍに接続されるＴＦＴ２２ｍｎを介して、データ線ＤＬｎと画素電極２６ｍｎとが電気的に接続される。即ち、データ線ＤＬｎと画素電極２６ｍｎとがほぼ同電位となる。そして、画素電極２６ｍｎと対向電極２４ｍｎとの間の電圧に応じて、画素の透過率が変化する。図５では、駆動期間ＤＲ１の電圧ＶＰＥｐと、駆動期間ＤＲ２の電圧ＶＰＥｍとが、画素電極２６ｍｎと対向電極２４ｍｎとの間の印加電圧に相当する。
【００７２】
また第１の電源電圧ＰＶ１の電位は、第２の電源電圧ＰＶ２の電位より高いことが望ましい。第１の電源電圧ＰＶ１としては、例えばデータ線駆動回路ＤＲＶ−１〜ＤＲＶ−Ｎの高電位側の電源電圧を用いることができる。第２の電源電圧ＰＶ２としては、例えばデータ線駆動回路ＤＲＶ−１〜ＤＲＶ−Ｎの低電位側の電源電圧を用いることができる。
【００７３】
本実施形態における表示ドライバ３０は、極性が負の駆動期間の前に設けられた第１のプリチャージ期間ＰＣ１と、極性が正の駆動期間の前に設けられた第２のプリチャージ期間ＰＣ２とにおいて、各プリチャージ期間を分割した分割期間に、上述のプリチャージ動作を行う。
【００７４】
即ち、第１のプリチャージ期間ＰＣ１は、第１及び第２の分割期間ＤＴ１、ＤＴ２を含む。第１の分割期間ＤＴ１後に、所与の期間を置いて第２の分割期間ＤＴ２が設けられてもよい。第１のプリチャージ期間ＰＣ１は、第１及び第２の分割期間ＤＴ１、ＤＴ２の和より長くてもよい。
【００７５】
図６に、第１のプリチャージ期間ＰＣ１における第１及び第２のスイッチ制御信号ＳＣ１、ＳＣ２のタイミング図の一例を示す。
【００７６】
スイッチ制御回路ＳＷＣによって生成された第１のスイッチ制御信号ＳＣ１は、第１のスイッチ素子ＳＷ１−１〜ＳＷ１−Ｎに共通に入力される。第１のスイッチ素子ＳＷ１−１〜ＳＷ１−Ｎは、第１のスイッチ制御信号ＳＣ１に基づいてオンオフ制御される。第１のスイッチ制御信号ＳＣ１が論理レベルＨのとき、第１のスイッチ素子ＳＷ１−１〜ＳＷ１−Ｎはオン状態になる。第１のスイッチ制御信号ＳＣ１が論理レベルＬのとき、第１のスイッチ素子ＳＷ１−１〜ＳＷ１−Ｎはオフ状態となる。従って、第１のスイッチ制御信号ＳＣ１の論理レベルがＨの期間が、第１の分割期間ＤＴ１に相当する。
【００７７】
スイッチ制御回路ＳＷＣによって生成された第２のスイッチ制御信号ＳＣ２は、第２のスイッチ素子ＳＷ２−１〜ＳＷ２−Ｎに共通に入力される。第２のスイッチ素子ＳＷ２−１〜ＳＷ２−Ｎは、第２のスイッチ制御信号ＳＣ２に基づいてオンオフ制御される。第２のスイッチ制御信号ＳＣ２が論理レベルＨのとき、第２のスイッチ素子ＳＷ２−１〜ＳＷ２−Ｎはオン状態になる。第２のスイッチ制御信号ＳＣ２が論理レベルＬのとき、第２のスイッチ素子ＳＷ２−１〜ＳＷ２−Ｎはオフ状態となる。従って、第２のスイッチ制御信号ＳＣ２の論理レベルがＨの期間が、第２の分割期間ＤＴ２に相当する。
【００７８】
本実施形態では、第１及び第２のスイッチ制御信号ＳＣ１、ＳＣ２により、第１のプリチャージ期間ＰＣ１内に、第１の分割期間ＤＴ１と、該第１の分割期間ＤＴ１の後の第２の分割期間ＤＴ２とが設定される。
【００７９】
以下では、データ線ＤＬｎに着目する。
【００８０】
スイッチ制御回路ＳＷＣは、第１のプリチャージ期間ＰＣ１内の第１の分割期間ＤＴ１では、第１のスイッチ素子ＳＷ１−ｎをオン状態に設定すると共に第２のスイッチ素子ＳＷ２−ｎをオフ状態に設定する。即ち、図４に示す第１の期間Ｔ１と同様の状態に設定される。
【００８１】
液晶の反転駆動の極性が負の駆動期間になると、対向電極電圧Ｖｃｏｍが、高電位側の対向電極電圧ＶｃｏｍＨになる。これにより、対向電極電圧Ｖｃｏｍを基準とするデータ線ＤＬｎの電圧が、相対的に上昇する。このため、液晶の反転駆動の極性が負の駆動期間においてデータ線ＤＬｎに供給すべき電圧との差が大きくなってしまい、データ線ＤＬｎに供給すべき電圧に達するまでの時間が長くなる。そこで、第１の分割期間ＤＴ１において、まず高電位の第１の電源電圧ＰＶ１にデータ線ＤＬｎを接続してプリチャージを行う。このため、データ線からの電荷（正の電荷）が、第１の電源電圧ＰＶ１が供給される第１の電源線ＰＬ１に流れ込む。これにより、電荷を再利用することができ、低消費電力化を図ることができる。
【００８２】
スイッチ制御回路ＳＷＣは、第１の分割期間ＤＴ１後の第２の分割期間ＤＴ２では、第１のスイッチ素子ＳＷ１−ｎをオフ状態に設定すると共に第２のスイッチ素子ＳＷ２−ｎをオン状態に設定する。即ち、図４に示す第２の期間Ｔ２と同様の状態に設定される。
【００８３】
第２の分割期間ＤＴ２において、より低電位の第２の電源電圧ＰＶ２にデータ線ＤＬｎを接続してプリチャージを行う。このため、データ線からの電荷が、第２の電源電圧ＰＶ２が供給される第２の電源線ＰＬ２に流れ込んで消費電力を増大させるが、データ線ＤＬｎの電圧を速やかに所望の電圧付近にまで設定できる。
【００８４】
そして、第２の分割期間ＤＴ２後（第１のプリチャージ期間ＰＣ１後）の第１の駆動期間ＤＲ１では、データ線駆動回路ＤＲＶ−ｎにより、表示データに対応した駆動電圧に基づいてデータ線ＤＬｎが駆動される。このとき、既に第２の分割期間ＤＴ２において設定された電圧からの充放電で済むため、表示データに基づく駆動電圧の供給に伴うデータ線の充放電量を少なくすることができる。
【００８５】
本実施形態において、第１の分割期間ＤＴ１は、第２の分割期間ＤＴ２よりも長いことが望ましい。こうすることで、データ線からの電荷が、第２の電源電圧ＰＶ２が供給される第２の電源線ＰＬ２に流れ込む期間を短くできるので、低消費電力化を図ることができる。
【００８６】
また、第２のプリチャージ期間ＰＣ２は、第３及び第４の分割期間ＤＴ３、ＤＴ４を含む。第３の分割期間ＤＴ３後に、所与の期間を置いて第４の分割期間ＤＴ４が設けられてもよい。第２のプリチャージ期間ＰＣ２は、第３及び第４の分割期間ＤＴ３、ＤＴ４の和より長くてもよい。
【００８７】
図７に、第２のプリチャージ期間ＰＣ２における第１及び第２のスイッチ制御信号ＳＣ１、ＳＣ２のタイミング図の一例を示す。
【００８８】
第２のプリチャージ期間ＰＣ２では、第２のスイッチ制御信号ＳＣ２の論理レベルがＨの期間が、第３の分割期間ＤＴ３に相当する。また、第２のプリチャージ期間ＰＣ２では、第１のスイッチ制御信号ＳＣ１の論理レベルがＨの期間が、第４の分割期間ＤＴ４に相当する。
【００８９】
本実施形態では、第１及び第２のスイッチ制御信号ＳＣ２、ＳＣ１により、第２のプリチャージ期間ＰＣ２内に、第３の分割期間ＤＴ３と、該第３の分割期間ＤＴ３の後の第４の分割期間ＤＴ４とが設定される。
【００９０】
スイッチ制御回路ＳＷＣは、第２のプリチャージ期間ＰＣ２内の第３の分割期間ＤＴ３では、第１のスイッチ素子ＳＷ１−ｎをオフ状態に設定すると共に第２のスイッチ素子ＳＷ２−ｎをオン状態に設定する。即ち、図４に示す第１の期間Ｔ１と同様の状態に設定される。
【００９１】
液晶の反転駆動の極性が正の駆動期間になると、対向電極電圧Ｖｃｏｍが、低電位側の対向電極電圧ＶｃｏｍＬになる。これにより、対向電極電圧Ｖｃｏｍを基準とするデータ線ＤＬｎの電圧が、相対的に下降する。このため、液晶の反転駆動の極性が正の駆動期間においてデータ線ＤＬｎに供給すべき電圧との差が大きくなってしまい、データ線ＤＬｎに供給すべき電圧に達するまでの時間が長くなる。そこで、第３の分割期間ＤＴ３において、まず低電位の第２の電源電圧ＰＶ２にデータ線ＤＬｎを接続してプリチャージを行う。このため、データ線からの電荷（負の電荷）が、第２の電源電圧ＰＶ２が供給される第２の電源線ＰＬ２に流れ込む。これにより、電荷を再利用することができ、低消費電力化を図ることができる。
【００９２】
第３の分割期間ＤＴ３後の第４の分割期間ＤＴ４では、第１のスイッチ素子ＳＷ１−ｎをオン状態に設定すると共に第２のスイッチ素子ＳＷ２−ｎをオフ状態に設定する。即ち、図４に示す第２の期間Ｔ２と同様の状態に設定される。
【００９３】
第４の分割期間ＤＴ４において、より高電位の第１の電源電圧ＰＶ１にデータ線ＤＬｎを接続してプリチャージを行う。このため、データ線からの電荷が、第２の電源電圧ＰＶ２が供給される第２の電源線ＰＬ２に流れ込んで消費電力を増大させるが、データ線ＤＬｎの電圧を速やかに所望の電圧付近にまで設定できる。これにより、表示データに基づく駆動電圧の供給に伴うデータ線の充放電量を少なくすることができる。
【００９４】
そして、第４の分割期間ＤＴ４後（第２のプリチャージ期間ＰＣ２後）の第２の駆動期間ＤＲ２では、データ線駆動回路ＤＲＶ−ｎにより、表示データに対応した駆動電圧に基づいてデータ線ＤＬｎが駆動される。このとき、既に第４の分割期間ＤＴ４において設定された電圧からの充放電で済むため、表示データに基づく駆動電圧の供給に伴うデータ線の充放電量を少なくすることができる。
【００９５】
本実施形態において、第３の分割期間ＤＴ３は、第４の分割期間ＤＴ４よりも長いことが望ましい。こうすることで、データ線からの電荷が、第１の電源電圧ＰＶ１が供給される第１の電源線ＰＬ１に流れ込む期間を短くできるので、低消費電力化を図ることができる。
【００９６】
なお図５では、第１及び第２のプリチャージ期間ＰＣ１、ＰＣ２が、対向電極電圧Ｖｃｏｍの変化点から開始されているが、これに限定されるものではない。第１及び第２のプリチャージ期間ＰＣ１、ＰＣ２が、対向電極電圧Ｖｃｏｍの変化点より前から開始されてもよい。
【００９７】
図８に、本実施形態における表示ドライバ３０により極性反転駆動を実現した場合のデータ線の電位の変化の他の例を模式的に示す。図８では、データ線ＤＬｎの電位の変化例を示すが、他のデータ線も同様である。
【００９８】
この場合、図５の場合に比べて、第１のプリチャージ期間ＰＣ１における第１の分割期間ＤＴ１と、第２のプリチャージ期間ＰＣ２における第３の分割期間ＤＴ３とをそれぞれ長くすることができる。従って、その分だけ第１のプリチャージ期間ＰＣ１における第２の分割期間ＤＴ２と、第２のプリチャージ期間ＰＣ２における第４の分割期間ＤＴ４とを短くできる。これにより、電荷を再利用期間を長くし、かつ電荷の非再利用期間を短くできるので、より一層の低消費電力化を図ることができる。
【００９９】
３．  表示ドライバの構成例
図９に、表示ドライバ３０の構成例のブロック図を示す。
【０１００】
表示ドライバ３０は、シフトレジスタ１００、ラインラッチ１１０、基準電圧発生回路１２０、ＤＡＣ（Digital/Analog Converter）（広義には、電圧選択回路）１３０、スイッチ制御回路１４０、駆動回路１５０を含む。
【０１０１】
シフトレジスタ１００は、画素単位でシリアルに入力される表示データを、クロックＣＬＫに同期してシフトすることで、例えば一水平走査分の表示データを取り込む。クロックＣＬＫは、表示コントローラ３８から供給される。
【０１０２】
１画素が、それぞれ６ビットのＲ信号、Ｇ信号及びＢ信号により構成される場合、１画素は１８ビットで構成される。
【０１０３】
シフトレジスタ１００に取り込まれた表示データは、ラッチパルス信号ＬＰのタイミングでラインラッチ１１０にラッチされる。ラッチパルス信号ＬＰは、水平走査周期タイミングで入力される。
【０１０４】
基準電圧発生回路１２０は、各基準電圧が各表示データに対応する複数の基準電圧を生成する。より具体的には、基準電圧発生回路１２０は、高電位側のシステム電源電圧ＶＤＤＨと、低電位側のシステム接地電源電圧ＶＳＳＨとに基づいて、各基準電圧が、６ビット構成の各表示データに対応する複数の基準電圧Ｖ０〜Ｖ６３を生成する。
【０１０５】
ＤＡＣ１３０は、ラインラッチ１１０から出力される表示データに対応した駆動電圧を、出力線ごとに生成する。より具体的には、ＤＡＣ１３０は、基準電圧発生回路１２０によって生成された複数の基準電圧Ｖ０〜Ｖ６３の中から、ラインラッチ１１０から出力された１出力線分の表示データに対応した基準電圧を選択し、選択した基準電圧を駆動電圧として出力する。
【０１０６】
駆動回路１５０は、各出力線が表示パネル２０の各データ線に接続される複数の出力線を駆動する。より具体的には、駆動回路１５０は、ＤＡＣ１３０によって出力線ごとに生成された駆動電圧に基づいて、各出力線を駆動する。そして、駆動回路１５０は、図３に示すデータ線駆動回路ＤＲＶ−１〜ＤＲＶ−Ｎにより、各出力線を駆動する。データ線駆動回路ＤＲＶ−１〜ＤＲＶ−Ｎのそれぞれは、ボルテージフォロワ接続された演算増幅器により構成される。更に、各出力線には、図３に示すように第１及び第２のスイッチ素子が設けられる。図９では、第１の電源電圧ＰＶ１として、高電位側のシステム電源電圧ＶＤＤＨが用いられる。また、第２の電源電圧ＰＶ２として、低電位側のシステム接地電源電圧ＶＳＳＨが用いられる。この場合、第１の電源電圧ＰＶ１が、データ線駆動回路ＤＲＶ−１〜ＤＲＶ−Ｎの高電位側の電源電圧であり、第２の電源電圧ＰＶ２が、データ線駆動回路ＤＲＶ−１〜ＤＲＶ−Ｎの低電位側の電源電圧ということができる。
【０１０７】
スイッチ制御回路１４０は、図３に示すスイッチ制御回路ＳＷＣに相当し、第１及び第２のスイッチ制御信号ＳＣ１、ＳＣ２を生成する。第１のスイッチ制御信号ＳＣ１は、駆動回路１５０に設けられた第１のスイッチ素子ＳＷ１−１〜ＳＷ１−Ｎのスイッチ制御に用いられる。第２のスイッチ制御信号ＳＣ２は、駆動回路１５０に設けられた第２のスイッチ素子ＳＷ２−１〜ＳＷ２−Ｎのスイッチ制御に用いられる。
【０１０８】
このような構成の表示ドライバ３０は、シフトレジスタ１００で取り込まれた例えば一水平走査分の表示データが、ラインラッチ１１０でラッチされる。ラインラッチ１１０でラッチされた表示データを用いて、１出力線ごとに、駆動電圧が生成される。そして、駆動回路１５０が、ＤＡＣ１３０によって生成された駆動電圧に基づいて各出力線を駆動する。このとき、上述したように、各プリチャージ期間において２段階でプリチャージを行いながら、極性反転信号ＰＯＬに同期して、液晶に印加される電圧の極性を反転させて駆動する。
【０１０９】
図１０に、スイッチ制御回路１４０の構成例を示す。
【０１１０】
スイッチ制御回路１４０は、第１〜第４の分割期間設定レジスタ１４２−１〜１４２−４を含む。そして、第１の分割期間設定レジスタ１４２−１又は第４の分割期間設定レジスタ１４２−４の設定値に対応したパルス幅を有する第１のスイッチ制御信号ＳＣ１が、図６又は図７に示すように生成される。同様に、第２の分割期間設定レジスタ１４２−２又は第３の分割期間設定レジスタ１４２−３の設定値に対応したパルス幅を有する第２のスイッチ制御信号ＳＣ２が、図６又は図７に示すように生成される。第１〜第４の分割期間設定レジスタ１４２−１〜１４２−４の各設定値は、表示コントローラ３８によって設定される。
【０１１１】
スイッチ制御回路１４０は、カウンタ１４４、スイッチ制御信号生成回路１４６−１〜１４６−４を含む。カウンタ１４４は、所与のクロックに同期してカウントアップを行う。スイッチ制御信号生成回路１４６−１は、第１の分割期間ＤＴ１を規定する第１のスイッチ制御信号ＳＣ１を生成する。スイッチ制御信号生成回路１４６−２は、第２の分割期間ＤＴ２を規定する第２のスイッチ制御信号ＳＣ２を生成する。スイッチ制御信号生成回路１４６−３は、第３の分割期間ＤＴ３を規定する第２のスイッチ制御信号ＳＣ２を生成する。スイッチ制御信号生成回路１４６−４は、第４の分割期間ＤＴ４を規定する第１のスイッチ制御信号ＳＣ１を生成する。
【０１１２】
スイッチ制御信号生成回路１４６−１は、例えばコンパレータ１４７−１、Ｒ−Ｓフリップフロップ１４８−１を含む。コンパレータ１４７−１は、カウンタ１４４のカウント値と、第１の分割期間設定レジスタ１４２−１の設定値とを比較し、一致したときパルスを出力する。ＲＳ−フリップフロップ１４８−１は、第１のスタート信号ＳＴ１によりセットされ、コンパレータ１４７−１によってカウンタ１４４のカウント値と第１の分割期間設定レジスタ１４２−１の設定値とが一致したことが検出されたときにリセットされる。このような構成により、第１のスタート信号ＳＴ１により第１の分割期間ＤＴ１の開始が指定され、第１の分割期間設定レジスタ１４２−１の設定値により第１の分割期間ＤＴ１の長さが指定される。
【０１１３】
なお、スイッチ制御信号生成回路１４６−１〜１４６−４は、それぞれ同一の構成をなす。そのため、スイッチ制御信号生成回路１４６−２〜１４６−４の説明は省略する。
【０１１４】
第１及び第３のスタート信号ＳＴ１、ＳＴ３は、駆動対象となる表示パネル２０等に依存したタイミングとして予め決められたタイミングで出力されてもよいし、表示コントローラ３８によって設定されたタイミングで出力されてもよい。第１及び第３のスタート信号ＳＴ１、ＳＴ３により、図５又は図８に示すプリチャージ期間の開始時点を指定できる。
【０１１５】
また第２及び第４のスタート信号ＳＴ２、ＳＴ４は、駆動対象となる表示パネル２０等に依存して決められる。第２及び第４の分割期間ＤＴ２、ＤＴ４を短くすると、消費電力を削減できる。第２及び第４の分割期間ＤＴ２、ＤＴ４を長くすると、データ線の電圧の設定が間に合わなくなる場合もある。
【０１１６】
図１１に、基準電圧発生回路１２０、ＤＡＣ１３０、駆動回路１５０の構成の概要を示す。ここでは、駆動回路１５０のデータ線駆動回路ＤＲＶ−１のみを示すが、他の駆動回路についても同様である。
【０１１７】
基準電圧発生回路１２０は、システム電源電圧ＶＤＤＨと、システム接地電源電圧ＶＳＳＨとの間に、抵抗回路が接続される。そして、基準電圧発生回路１２０は、システム電源電圧ＶＤＤＨ及びシステム接地電源電圧ＶＳＳＨの間の電圧を抵抗回路により分割した複数の分割電圧を、基準電圧Ｖ０〜Ｖ６３として生成する。なお、極性反転駆動の場合、実際には極性が正の場合と負の場合とで電圧が対称とならないため、正極性用の基準電圧と、負極性用の基準電圧とが生成される。図１１では、その一方を示している。
【０１１８】
ＤＡＣ１３０は、ＲＯＭデコーダ回路により実現することができる。ＤＡＣ１３０は、６ビットの表示データに基づいて、基準電圧Ｖ０〜Ｖ６３のうちいずれか１つを選択して選択電圧Ｖｓとしてデータ線駆動回路ＤＲＶ−１に出力する。なお、他のデータ線駆動回路ＤＲＶ−２〜ＤＲＶ−Ｎについても、同様に、対応する６ビットの表示データに基づいて選択された電圧が出力される。
【０１１９】
ＤＡＣ１３０は、反転回路１３２を含む。反転回路１３２は、極性反転信号ＰＯＬに基づいて表示データを反転する。そして、ＤＡＣ１３０には、６ビットの表示データＤ０〜Ｄ５と、６ビットの反転表示データＸＤ０〜ＸＤ５とが入力される。反転表示データＸＤ０〜ＸＤ５は、表示データＤ０〜Ｄ５をそれぞれビット反転したものである。そして、ＤＡＣ１３０において、基準電圧発生回路により生成された多値の基準電圧Ｖ０〜Ｖ６３のうちのいずれか１つが表示データに基づいて選択される。
【０１２０】
例えば極性反転信号ＰＯＬの論理レベルがＨのとき、６ビットの表示データＤ０〜Ｄ５「００００１０」（＝２）に対応して、基準電圧Ｖ２が選択される。また例えば極性反転信号ＰＯＬの論理レベルがＬのとき、表示データＤ０〜Ｄ５を反転した反転表示データＸＤ０〜ＸＤ５を用いて基準電圧を選択する。即ち、反転表示データＸＤ０〜ＸＤ５が「１１１１０１」（＝６１）となり、基準電圧Ｖ６１が選択される。
【０１２１】
このようにしてＤＡＣ１３０により選択された選択電圧Ｖｓは、データ線駆動回路ＤＲＶ−１に供給される。
【０１２２】
そして、第１及び第２のスイッチ制御信号ＳＣ１、ＳＣ２により指定される分割期間でプリチャージを行った後、データ線駆動回路ＤＲＶ−１は、選択電圧Ｖｓに基づいて出力線ＯＬ−１を駆動する。
【０１２３】
図１２に、本実施形態における電圧の関係例を模式的に示す。このように、本実施形態では、高電位側のシステム電源電圧ＶＤＤＨ、低電位側のシステム接地電源電圧ＶＳＳＨに対し、対向電極電圧Ｖｃｏｍの高電位側の電圧ＶｃｏｍＨは、高電位側のシステム電源電圧ＶＤＤＨより０．５ボルト〜１．５ボルト程度低い電位である。対向電極電圧Ｖｃｏｍの低電位側の電圧ＶｃｏｍＬは、低電位側のシステム接地電源電圧ＶＳＳＨより０．５ボルト〜１．５ボルト程度低い電位である。
【０１２４】
そして、高電位側のシステム電源電圧ＶＤＤＨ、低電位側のシステム接地電源電圧ＶＳＳＨを、データ線駆動回路ＤＲＶ−１〜ＤＲＶ−Ｎの高電位側の電源電圧、低電位側の電源電圧とする。図１１では、第１のスイッチ素子ＳＷ１−１〜ＳＷ１−Ｎに接続される第１の電源電圧ＰＶ１が、データ線駆動回路ＤＲＶ−１〜ＤＲＶ−Ｎの高電位側の電源電圧となる。そして、第２のスイッチ素子ＳＷ２−１〜ＳＷ２−Ｎに接続される第２の電源電圧ＰＶ２がデータ線駆動回路ＤＲＶ−１〜ＤＲＶ−Ｎの低電位側の電源電圧となる。
【０１２５】
なお、第１のスイッチ素子ＳＷ１−１〜ＳＷ１−Ｎに接続される第１の電源電圧ＰＶ１は、データ線駆動回路ＤＲＶ−１〜ＤＲＶ−Ｎの高電位側の電源電圧に限定されない。
【０１２６】
同様に、第２のスイッチ素子ＳＷ２−１〜ＳＷ２−Ｎに接続される第２の電源電圧ＰＶ２は、データ線駆動回路ＤＲＶ−１〜ＤＲＶ−Ｎの低電位側の電源電圧に限定されない。
【０１２７】
図１３に、表示ドライバ３０の他の構成例のブロック図を示す。但し、図９に示す表示ドライバと同一部分には同一符号を付し、適宜説明を省略する。図１３に示す表示ドライバが、図９に示す表示ドライバと異なる点は、駆動回路１５０の第１及び第２のスイッチ素子に接続される第１及び第２の電源電圧が異なる。
【０１２８】
図１４に、図１３に示す基準電圧発生回路１２０、ＤＡＣ１３０、駆動回路１５０の構成の概要を示す。但し、図１１と同一部分には同一符号を付し、適宜説明を省略する。
【０１２９】
このように、第１の電源電圧ＰＶ１は、複数の基準電圧Ｖ０〜Ｖ６３のうち最も高電位の電圧である基準電圧Ｖ０（駆動電圧の最大値）である。また、第２の電源電圧ＰＶ２は、複数の基準電圧Ｖ０〜Ｖ６３のうち最も低電位の電圧である基準電圧Ｖ６３（駆動電圧の最小値）である。
【０１３０】
なお、この場合、データ線駆動回路ＤＲＶ−１の高電位側の電源電圧はシステム電源電圧ＶＤＤＨのままであり、データ線駆動回路ＤＲＶ−１の低電位側の電源電圧はシステム接地電源電圧ＶＳＳＨのままである。基準電圧発生回路１２０によって生成される基準電圧Ｖ０、Ｖ６３に基づいて出力線を駆動する場合、マージンが必要となるからである。
【０１３１】
４．  他の表示装置
次に、本実施形態における表示ドライバを、低温ポリシリコン（Low Temperature Poly-Silicon：以下ＬＴＰＳと略す。）プロセスにより形成された表示パネルに適所する場合について説明する。
【０１３２】
ＬＴＰＳプロセスによれば、例えばＴＦＴ等を含む画素が形成されるパネル基板（例えばガラス基板）上に、駆動回路等を直接形成することができる。そのため、部品数を削減し、表示パネルの小型軽量化が可能となる。またＬＴＰＳでは、これまでのシリコンプロセスの技術を応用して、開口率を維持したまま画素の微細化を図ることができる。更にまたＬＴＰＳは、アモルファスシリコン（amorphous silicon：ａ−Ｓｉ）に比べて電荷の移動度が大きく、かつ寄生容量が小さい。従って、画面サイズの拡大により１画素当たりの画素選択期間が短くなった場合でも、当該基板上に形成された画素の充電期間を確保し、画質の向上を図ることが可能となる。
【０１３３】
図１５に、ＬＴＰＳプロセスにより形成される表示パネルの構成の概要を示す。表示パネル（広義には電気光学装置）２００は、複数の走査線と、複数の色成分用データ線（広義にはデータ線）と、複数の画素とを含む。複数の走査線と複数の色成分用データ線とは、互いに交差するように配置される。画素は、走査線と色成分用データ線とにより特定される。
【０１３４】
表示パネル２００では、各走査線（ＧＬ）及び各データ信号供給線（ＤＰＬ）により３画素単位で選択される。選択された各画素には、データ信号供給線に対応する３本の色成分用データ線（Ｒ、Ｇ、Ｂ）（広義にはデータ線）のいずれかを伝送する各色成分用信号が書き込まれる。各画素は、ＴＦＴと画素電極とを含む。データ信号供給線が、表示ドライバの出力線に接続される。
【０１３５】
表示パネル２００では、パネル基板上に、Ｙ方向に複数配列されそれぞれＸ方向に伸びる走査線ＧＬ１〜ＧＬＭと、Ｘ方向に複数配列されそれぞれＹ方向に伸びるデータ信号供給線ＤＰＬ１〜ＤＰＬＮとが形成されている。更に該パネル基板上には、Ｘ方向に第１〜第３の色成分用データ線を１組として複数組配列されそれぞれＹ方向に伸びる色成分用データ線（Ｒ１、Ｇ１、Ｂ１）〜（ＲＮ、ＧＮ、ＢＮ）が形成されている。
【０１３６】
走査線ＧＬ１〜ＧＬＭと、第１の色成分用データ線Ｒ１〜ＲＮとの交差位置に、Ｒ用画素（第１の色成分用画素）ＰＲ（ＰＲ１１〜ＰＲＭＮ）が設けられている。走査線ＧＬ１〜ＧＬＭと、第２の色成分用データ線Ｇ１〜ＧＮとの交差位置に、Ｇ用画素（第２の色成分用画素）ＰＧ（ＰＧ１１〜ＰＧＭＮ）が設けられている。走査線ＧＬ１〜ＧＬＭと、第３の色成分用データ線Ｂ１〜ＢＮとの交差位置に、Ｂ用画素（第３の色成分用画素）ＰＢ（ＰＢ１１〜ＰＢＭＮ）が設けられている。
【０１３７】
またパネル基板上には、各データ信号供給線に対応して設けられたデマルチプレクサ（demultiplexer）ＤＭＵＸ１〜ＤＭＵＸＮが設けられている。デマルチプレクサＤＭＵＸ１〜ＤＭＵＸＮは、デマルチプレクス制御信号Ｒｓｅｌ、Ｇｓｅｌ、Ｂｓｅｌによりスイッチ制御される。
【０１３８】
図１６に、デマルチプレクサＤＭＵＸｎの構成の概要を示す。
【０１３９】
デマルチプレクサＤＭＵＸｎは、第１〜第３のデマルチプレクス用スイッチ素子ＤＳＷ１〜ＤＳＷ３を含む。
【０１４０】
デマルチプレクサＤＭＵＸｎの出力側には、第１〜第３の色成分用データ線（Ｒｎ、Ｇｎ、Ｂｎ）が接続される。また、入力側には、データ信号供給線ＤＰＬｎが接続される。デマルチプレクサＤＭＵＸｎは、デマルチプレクス制御信号Ｒｓｅｌ、Ｇｓｅｌ、Ｂｓｅｌに応じて、データ信号供給線ＤＰＬｎと、第１〜第３の色成分用データ線（Ｒｎ、Ｇｎ、Ｂｎ）のいずれかとを、電気的に接続する。デマルチプレクサＤＭＵＸ１〜ＤＭＵＸＮには、それぞれ共通にデマルチプレクス制御信号が入力される。
【０１４１】
デマルチプレクス制御信号Ｒｓｅｌ、Ｇｓｅｌ、Ｂｓｅｌは、例えば表示パネル２００の外部に設けられた表示ドライバから供給される。この場合、表示ドライバは、図１７に示すように、色成分用画素ごとに時分割され各色成分の表示データに対応した電圧（データ信号）を、データ信号供給線ＤＰＬｎに出力する。そして表示ドライバは、時分割のタイミングに合わせて、各色成分の表示データに対応した電圧を各色成分用データ線に選択出力するためのデマルチプレクス制御信号Ｒｓｅｌ、Ｇｓｅｌ、Ｂｓｅｌを生成し、表示パネル２００に対して出力する。
【０１４２】
このような表示パネル２００に対しても、本実施形態におけるプリチャージ技術を適用するができる。
【０１４３】
図１８に、表示パネル２００に、表示ドライバ３０を適用した場合の構成要部のブロック図を示す。
【０１４４】
但し、図３及び図１６に示した部分と同一部分には同一符号を付し、説明を省略する。
【０１４５】
図１９に、図１８に示す構成でプリチャージを行う場合のタイミングの一例を示す。
【０１４６】
第１及び第２のプリチャージ期間ＰＣ１、ＰＣ２では、デマルチプレクス制御信号Ｒｓｅｌ、Ｇｓｅｌ、Ｂｓｅｌにより、第１〜第３のデマルチプレクス用スイッチ素子ＤＳＷ１〜ＤＳＷ３を一斉にオン状態として、データ信号供給船ＤＰＬｎと、第１〜第３の色成分用データ線Ｒｎ、Ｇｎ、Ｂｎとを電気的に接続して、上述した２段階のプリチャージを行う。
【０１４７】
そして、第１のプリチャージ期間ＰＣ１経過後の駆動期間ＤＲ１と、第２のプリチャージ期間ＰＣ２経過後の駆動期間ＤＲ２では、表示パネル２００を、各画素の書込信号が時分割された表示データに基づいて駆動が行われる。
【０１４８】
上述した実施形態では、Ｒ、Ｇ、Ｂの各色成分に対応する３画素単位で選択されるものとして説明したが、これに限定されるものではない。例えば１、２又は４以上の画素数単位で選択される場合についても同様に適用することが可能である。
【０１４９】
また、図１７において、第１〜第３のデマルチプレクス制御信号（Ｒｓｅｌ、Ｇｓｅｌ、Ｂｓｅｌ）がアクティブとなる順序は、上述の実施形態に限定されるものではない。
【０１５０】
なお、本発明は上述した実施の形態に限定されるものではなく、本発明の要旨の範囲内で種々の変形実施が可能である。
【０１５１】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１５２】
【図１】本実施形態における表示ドライバを含む表示装置の構成の概要を示すブロック図。
【図２】本実施形態における表示装置の他の構成例の構成の概要を示すブロック図。
【図３】本実施形態における表示ドライバの構成要部の構成図。
【図４】本実施形態における表示ドライバによって駆動されるデータ線の電位の変化例の模式図。
【図５】本実施形態における表示ドライバにより極性反転駆動を実現した場合のデータ線の電位の変化例の模式図。
【図６】第１のプリチャージ期間における第１及び第２のスイッチ制御信号のタイミング図の一例。
【図７】第２のプリチャージ期間における第１及び第２のスイッチ制御信号のタイミング図の一例。
【図８】本実施形態における表示ドライバにより極性反転駆動を実現した場合のデータ線の電位の変化の他の例の模式図。
【図９】本実施形態における表示ドライバの構成例のブロック図。
【図１０】スイッチ制御回路の構成例のブロック図。
【図１１】基準電圧発生回路、ＤＡＣ及び駆動回路の接続関係を示す回路図。
【図１２】本実施形態における電圧の関係例の模式図。
【図１３】表示ドライバの他の構成例のブロック図。
【図１４】基準電圧発生回路、ＤＡＣ及び駆動回路の他の接続例を示す回路図。
【図１５】ＬＴＰＳプロセスにより形成された表示パネルの構成の概要を示す図。
【図１６】デマルチプレクサの構成の概要を示す図。
【図１７】色成分用画素ごとに時分割され各色成分の表示データに対応した書込信号と、デマルチプレクス制御信号との関係の説明図。
【図１８】図１５に示す表示パネルに、本実施形態における表示ドライバを適用した場合の構成要部のブロック図。
【図１９】図１８に示す構成でプリチャージを行う場合のタイミングの一例を示す図。
【符号の説明】
【０１５３】
２０  表示パネル、２２ｍｎ  ＴＦＴ、２４ｍｎ  液晶容量、
２６ｍｎ  画素電極、２８ｍｎ  対向電極、
３０  表示ドライバ（データドライバ）、
ＤＬ１〜ＤＬＮ、ＤＬｎ  データ線、ＤＬＶ  データ線の電圧、
ＤＲＶ−１〜ＤＲＶ−Ｎ、ＤＲＶ−ｎ  データ線駆動回路、
ＧＬ１〜ＧＬＭ、ＧＬｍ  走査線、ＯＬ−１〜ＯＬ−Ｎ、ＯＬ−ｎ  出力線、
ＰＬ１  第１の電源線、ＰＬ２  第２の電源線、ＰＶ１  第１の電源電圧、
ＰＶ２  第２の電源電圧、
ＳＷ１−１〜ＳＷ１−Ｎ、ＳＷ１−ｎ  第１のスイッチ素子、
ＳＷ２−１〜ＳＷ２−Ｎ、ＳＷ２−ｎ  第２のスイッチ素子、
ＳＷＣ  スイッチ制御回路、Ｔ１  第１の期間、Ｔ２  第２の期間、
Ｖｃｏｍ  対向電極電圧
【図１】
2005037832.tif 000003
【図２】
2005037832.tif 000004
【図３】
2005037832.tif 000005
【図４】
2005037832.tif 000006
【図５】
2005037832.tif 000007
【図６】
2005037832.tif 000008
【図７】
2005037832.tif 000009
【図８】
2005037832.tif 000010
【図９】
2005037832.tif 000011
【図１０】
2005037832.tif 000012
【図１１】
2005037832.tif 000013
【図１２】
2005037832.tif 000014
【図１３】
2005037832.tif 000015
【図１４】
2005037832.tif 000016
【図１５】
2005037832.tif 000017
【図１６】
2005037832.tif 000018
【図１７】
2005037832.tif 000019
【図１８】
2005037832.tif 000020
【図１９】
2005037832.tif 000021